(57)【要約】【課題】サイド給紙装置の移動や垂直搬送カバーの開動作を要することなく簡単にジャム処理を行うことができる画像形成装置を提供すること。【解決手段】搬入搬送ユニット２２を底部に備える装置本体１Ａの下部に大容量デッキ装置３０を配置するとともに、前記大容量デッキ装置３０の側部にサイド給紙装置４０を配置し、前記装置本体１Ａの前記サイド給紙装置４０が設けられる側の側部に、搬送ガイド３９を備えた垂直搬送カバー３６を開閉可能に設けて成る画像形成装置１において、前記垂直搬送ユニット２２を水平移動可能に構成し、前記垂直搬送カバー３６の搬送ガイド３９を前記垂直搬送ユニット２２の水平移動に連動して回動させて垂直搬送路Ｐ２を開くよう構成する。【選択図】図３
2014144841.tif 000002
【特許請求の範囲】
【請求項１】
搬入搬送ユニットを底部に備える装置本体の下部に大容量デッキ装置を配置するとともに、該大容量デッキ装置の側部にサイド給紙装置を配置し、前記大容量デッキ装置の上面に、前記装置本体の下面に開口する搬入口に連通する排出口を開口せしめ、前記装置本体の前記サイド給紙装置が配置される側の側部に、前記排出口へと用紙をガイドする搬送ガイドを備えた垂直搬送カバーを開閉可能に設けて成る画像形成装置において、
前記垂直搬送ユニットを水平移動可能に構成し、前記垂直搬送カバーの搬送ガイドを前記垂直搬送ユニットの水平移動に連動して回動させ、前記大容量デッキ装置の排出口に連通する垂直搬送路を開くよう構成したことを特徴とする画像形成装置。
【請求項２】
前記垂直搬送カバーの搬送ガイドを前記垂直搬送路を開く方向に付勢し、前記搬入搬送ユニットが前記装置本体の正規位置にあるときに該搬入搬送ユニットが前記搬送ガイドに当接して該搬送ガイドを正規位置に保持するよう構成したことを特徴とする請求項１記載の画像形成装置。
【請求項３】
前記搬送ガイドは、前記サイド給紙装置から受け入れた用紙を前記排出口から前記装置本体の搬入口から前記垂直搬送路へとガイドするものであることを特徴とする請求項１又は２記載の画像形成装置。
【発明の詳細な説明】
【技術分野】
【０００１】
本発明は、オプション機器である大容量デッキ装置とサイド給紙装置を装置本体の下部と側部にそれぞれ配置して成る画像形成装置に関するものである。
【背景技術】
【０００２】
電子写真方式によって用紙に画像を形成する複写機等の画像形成装置には、オプション機器である大容量デッキ装置とサイド給紙装置を装置本体の下部と側部にそれぞれ配置するものがある（例えば、特許文献１，２参照）。
【０００３】
斯かる画像形成装置には、垂直搬送ユニットを底部に備える装置本体の下部に大容量デッキ装置を配置するとともに、装置本体の側部にサイド給紙装置を配置し、大容量デッキ装置のサイド給紙装置に対向する側部に、搬送ガイドを備えた垂直搬送カバーを開閉可能に設けたものがある。このような画像形成装置においては、大容量デッキ装置やサイド給紙装置から延びる複数の搬送路は、装置本体の垂直搬送ユニットに設けられた搬送路に合流し、大容量デッキ又はサイド給紙装置から取り出された用紙は、搬送路を通って装置本体内の画像形成部へと供給される。
【先行技術文献】
【特許文献】
【０００４】
【特許文献１】特開２０００−１９１１６０号公報
【特許文献２】特開２０００−０６２９７２号公報
【発明の概要】
【発明が解決しようとする課題】
【０００５】
ところで、大容量デッキ装置やサイド給紙装置が増設された従来の画像形成装置において搬送路の合流部でジャム（紙詰まり）が発生した場合、サイド給紙装置を移動させてこれを装置本体から切り離した後、図４に示すように大容量デッキ装置１３０の垂直搬送カバー１３６を開いてジャム紙を取り除く必要があった。尚、図４において、１０１Ａは画像形成装置本体である。
【０００６】
しかしながら、大きくて重いサイド給紙装置の移動は容易ではなく、ジャム処理にはサイド給紙装置の移動と垂直搬送カバー１３６の開動作の２アクションを要するため、ジャム処理が面倒で時間を要するという問題があった。
【０００７】
本発明は上記問題に鑑みてなされたもので、その目的とする処は、サイド給紙装置の移動や垂直搬送カバーの開動作を要することなく簡単にジャム処理を行うことができる画像形成装置を提供することにある。
【課題を解決するための手段】
【０００８】
上記目的を達成するため、請求項１記載の発明は、搬入搬送ユニットを底部に備える装置本体の下部に大容量デッキ装置を配置するとともに、該大容量デッキ装置の側部にサイド給紙装置を配置し、前記大容量デッキ装置の上面に、前記装置本体の下面に開口する搬入口に連通する排出口を開口せしめ、前記装置本体の前記サイド給紙装置が配置される側の側部に、前記排出口へと用紙をガイドする搬送ガイドを備えた垂直搬送カバーを開閉可能に設けて成る画像形成装置において、前記垂直搬送ユニットを水平移動可能に構成し、前記垂直搬送カバーの搬送ガイドを前記垂直搬送ユニットの水平移動に連動して回動させ、前記大容量デッキ装置の排出口に連通する垂直搬送路を開くよう構成したことを特徴とする。
【０００９】
請求項２記載の発明は、請求項１記載の発明において、前記垂直搬送カバーの搬送ガイドを前記垂直搬送路を開く方向に付勢し、前記搬入搬送ユニットが前記装置本体の正規位置にあるときに該搬入搬送ユニットが前記搬送ガイドに当接して該搬送ガイドを正規位置に保持するよう構成したことを特徴とする。
【００１０】
請求項３記載の発明は、請求項１又は２記載の発明において、前記搬送ガイドは、前記サイド給紙装置から受け入れた用紙を前記排出口から前記装置本体の前記垂直搬入口から搬送路へとガイドするものであることを特徴とする。
【発明の効果】
【００１１】
本発明によれば、大容量デッキ及びサイド給紙装置からの用紙を装置本体側に受け渡す搬送路の合流部にジャムが発生した場合、装置本体の搬送路の垂直搬送ユニットを水平移動させれば、この動作に連動して垂直搬送カバーの搬送ガイドが回動して搬送路を開くため、その開いた搬送路からジャム紙を容易に取り出すことができる。従って、大きくて重いサイド給紙装置を移動させて垂直搬送カバーを開く動作が不要となり、装置本体の垂直搬送ユニットを水平移動させるだけの操作でジャム処理をワンタッチで簡単に行うことができる。
【図面の簡単な説明】
【００１２】
【図１】本発明に係る画像形成装置の側断面図である。
【図２】本発明に係る画像形成装置要部の側断面図である。
【図３】本発明に係る画像形成装置要部のジャム処理時の状態を示す側断面図である。
【図４】従来の画像形成装置要部のジャム処理時の状態を示す側断面図である。
【発明を実施するための形態】
【００１３】
以下に本発明の実施の形態を添付図面に基づいて説明する。
【００１４】
図１は本発明に係る画像形成装置の側断面図であり、図示の画像形成装置１は、その装置本体１Ａの直下にオプション機器である大容量デッキ装置３０が増設され、この大容量デッキ装置３０の横に同じくオプション機器であるサイド給紙装置４０が増設されている。
【００１５】
上記大容量デッキ装置３０には、２つの給紙デッキ３１，３２が収容されており、各給紙デッキ３１，３２にはそれぞれ複数枚の用紙Ｓが積層収容されている。そして、各給紙デッキ３１，３２の用紙取り出し部には、ピックアップローラー３３ａ，３３ｂとフィードローラー３４ａ，３４ｂ及びリタードローラー３５ａ，３５ｂがそれぞれ回転可能に配されている。尚、給紙デッキ３１，３２の各給紙搬送路はそれぞれ異なっており、これらの給紙搬送路は上部において合流している。又、装置本体１Ａの前記サイド給紙装置４０が設けられる側の側部には開閉可能な垂直搬送カバー３６が開閉可能に設けられている。同様に、サイド給紙装置４０にも給紙デッキ４１が収容されており、この給紙デッキ４１には複数枚の用紙Ｓが積層収容されている。そして、給紙デッキ４１の用紙取り出し部にはピックアップローラー４２とフィードローラー４３及びリタードローラー４４が回転可能に配されている。
【００１６】
他方、装置本体１Ａの上部には自動原稿搬送装置２が設けられており、装置本体１Ａ内の上部には画像読取装置３が配され、その下方にはレーザービームスキャナーユニット（ＬＳＵ）４が配され、その下方の装置本体１Ａ内の中央部には画像形成部５が配されている。ここで、画像形成部５は、図示矢印方向に回転駆動された感光ドラム６と、その周囲に配された帯電器７、現像装置８、転写帯電器９、クリーニング装置１０を含んで構成されている。
【００１７】
又、装置本体１Ａの一側部（図２の麦側部）には開閉可能な手差しトレイ１１が設けられ、同装置本体１Ａの他側部（図２の左側部）には排紙トレイ１２が設けられている。そして、装置本体１Ａ内の前記手差しトレイ１２の近傍にはピックアップローラー１３とフィードローラー１４及びリタードローラー１５が回転可能に配されており、これらのローラー１３〜１５から前記画像形成部５の下方を前記排紙トレイ１２へと延びる略水平な搬送経路には、搬送ローラー１６、レジストローラー１７、前記転写帯電器９、搬送ベルト１８、定着装置１９及び排紙ローラー２０が順次配置されている。又、装置本体１Ａ内の一側下部には、大容量デッキ装置３０又はサイド給紙装置４０から搬送されてくる用紙Ｓを受け入れる垂直な搬送路Ｐが形成されており、この搬送路Ｐの途中には搬送ローラー２１が配置されている。
【００１８】
次に、以上のように構成された画像形成装置１の画像形成動作について説明する。
【００１９】
画像形成動作が開始されると、画像形成部５においては、感光ドラム６が不図示の駆動手段によって図１の矢印方向（時計方向）に回転駆動され、その表面が帯電器７によって所定の電位に一様に帯電される。そして、画像形成部５においては、原稿画像が画像読取装置３によって読み取られ、該画像読取装置３から送信される電気信号に基づくレーザービームがレーザースキャナーユニット（ＬＳＵ）４から出力されて感光ドラム６の表面が露光走査されると、該感光ドラム６上に画像情報に応じた静電潜像が形成される。そして、この感光ドラム６上に形成された静電潜像は、現像装置８によって現像剤であるトナーを用いて現像されてトナー像として可視像化される。
【００２０】
他方、大容量デッキ装置３０の給紙デッキ３１，３２、サイド給紙装置４０の給紙デッキ４１又は手差しトレイ１１の何れか、例えばサイド給紙装置４０の給紙デッキ４１に収容された用紙Ｓがピックアップローラー４２によって最上位のものから順次１枚ずつ取り出され、フィードローラー４３とリタードローラー４４によって重送を防がれながら装置本体１Ａの垂直搬送路Ｐへと送り出される。そして、垂直搬送路Ｐへと送り出された用紙Ｓは、搬送ローラー２１によってレジストローラー１７へと搬送され、該レジストローラー１７において一時待機状態とされた後、感光ドラム６上のトナー像に同期する所定のタイミングで画像形成部５へと供給される。
【００２１】
画像形成部５においては、転写帯電器９の作用によって感光ドラム６上のトナー像が用紙Ｓ上に転写され、トナー像が転写された用紙Ｓは、搬送ベルト１８によって定着装置１９へと搬送される。そして、定着装置１９において用紙が定着ニップを通過する過程で加熱及び加圧されてトナー像の定着を受け、トナー像が定着された用紙Ｓは、排紙ローラー２０によって排紙トレイ１２へと排出され、これによって一連の画像形成動作が終了する。尚、用紙Ｓへのトナー像の転写後に感光ドラム６の表面に残留するトナー（転写残トナー）はクリーニング装置１０によって除去され、表面が清掃された感光ドラム６は次の画像形成動作に備えられる。
【００２２】
次に、本発明の要旨を図２及び図３に基づいて以下に説明する。
【００２３】
図２は本発明に係る画像形成装置要部の側断面図、図３は同画像形成装置要部のジャム処理時の状態を示す側断面図であり、図２に示すように、装置本体１Ａの一側下部には、略垂直な前記垂直搬送路Ｐを備える搬入搬送ユニット２２が装置本体１Ａに対して着脱可能に設けられており、この搬入搬送ユニット２２は必要に応じて装置本体１Ａから取り出されてサイド給紙装置４０の上方を図２の右方向に沿って水平移動せしめられる。尚、前記垂直搬送路Ｐは、装置本体１Ａの下面に搬入口１ａとして開口している。
【００２４】
又、前記大容量デッキ装置３０の上面には、装置本体１Ａの下面に開口する前記搬入口１ａに連なる排出口３０ａが開口している。そして、大容量デッキ３０の上部には２つの搬送ガイド３７，３８が設けられ、前記垂直搬送カバー３６には、サイド給紙装置４０から受け入れた用紙Ｓを前記排出口３０ａ及び搬入口１ａから殻装置本体１Ａの垂直搬送路Ｐへとガイドする搬送ガイド３９が設けれている。そして、搬送ガイド３７と搬送ガイド３８との間には搬送路Ｐ１が形成され、搬送ガイド３８と搬送ガイド３９との間には搬送路Ｐ２が形成されており、搬送ガイド３９には搬送路Ｐ３が形成されている。
【００２５】
ここで、上記搬送路Ｐ１は、大容量デッキ装置３０の給紙デッキ３１から送り出される用紙Ｓが通過するものであり、この搬送路Ｐ１を通過した用紙Ｓは、排出口３０ａ及び搬入口１ａから装置本体１Ａの搬入搬送ユニット２２の垂直搬送路Ｐへと送り出されて画像形成部５へと供給される。又、前記搬送路Ｐ２は、大容量デッキ装置３０の給紙デッキ３２から送り出される用紙Ｓが通過するものであり、この搬送路Ｐ２を通過した用紙Ｓは、排出口３０ａ及び搬入口１ａから装置本体１Ａの搬入搬送ユニット２２の垂直搬送路Ｐへと送り出されて画像形成部５へと供給される。更に、前記搬送路Ｐ３は、サイド給紙装置４０の給紙デッキ４１から送り出される用紙Ｓが通過するものであり、この搬送路Ｐ３を通過した用紙Ｓは、排出口３０ａ及び搬入口１ａから装置本体１Ａの搬入搬送ユニット２２の搬送路Ｐへと送り出されて画像形成部５へと供給される。
【００２６】
而して、本実施の形態では、垂直搬送カバー３６に設けられた搬送ガイド３９は、その下端が軸３９ａを中心として回動可能に支持されており、不図示のスプリング等の付勢手段によって搬送路Ｐ２を開く方向（図２の時計方向）に付勢されている。そして、図２に示す通常の状態においては、搬送ガイド３９には装置本体１Ａの搬入搬送ユニット２２の下端角部に設けられたストッパ２３が当接して該搬送ガイド３９は正規位置に固定されており、これと搬送ガイド３８との間には所定幅の前記搬送路Ｐ２が形成されている。又、この搬送ガイド３９に形成された搬送路Ｐ３は図２に示す正規の姿勢を保持している。
【００２７】
図２に示す状態で前述のような画像形成動作が行われている過程で、搬送路Ｐ１〜Ｐ３の何れかにおいて用紙Ｓがジャムした場合には、図３に示すように、搬入搬送ユニット２２を装置本体１Ａから取り外してこれを図示矢印方向に水平移動させれば、該搬入搬送ユニット２２のストッパ２３が搬送ガイド３９から離間して両者の当接が解除されるため、搬送ガイド３９は、図２に示す正規の状態（使用状態）から軸３９ａを中心として時計方向に回動するため、該搬送ガイド３９と搬送ガイド３８との間の搬送路Ｐ２が大きく開き、その開口幅Ｂは図示のように広がる。従って、この大きく開いた空間からジャムした用紙Ｓを容易に取り出すことができる。
【００２８】
そして、以上のようにしてジャム紙を取り除くジャム処理が終了した後は、搬入搬送ユニット２２を逆方向（図３の左方向）に水平移動させて図２に示すように装置本体１Ａの正規の位置に戻せば、該搬入搬送ユニット２２のストッパ２３が搬送ガイド３９に再び当接して該搬送ガイド３９を不図示の付勢手段の付勢力に抗して反時計方向に回動させるため、搬送ガイド３９は図２に示す正規の位置に戻り、画像形成動作を再開することが可能となる。
【００２９】
以上のように、本実施の形態では、大容量デッキ３０及びサイド給紙装置４０からの用紙Ｓを装置本体１Ａ側に受け渡す搬送路Ｐ１〜Ｐ３の合流部にジャムが発生した場合、装置本体１Ａの搬入搬送ユニット２２を水平移動させれば、この搬入搬送ユニット２２の水平移動に連動して垂直搬送カバー３６の搬送ガイド３９が回動して搬送路Ｐ２を開くようにしため、その開いた搬送路Ｐ２からジャム紙を容易に取り出すことができる。そして、このジャム処理には大きくて重いサイド給紙装置４０を移動させて垂直搬送カバー３６を開く動作が不要となり、装置本体１Ａの搬入搬送ユニット２２を水平移動させるだけの操作でジャム処理をワンタッチで簡単に行うことができる。
【符号の説明】
【００３０】
１          画像形成装置
１Ａ        画像形成装置本体
１ａ        画像形成装置本体の搬入口
５          画像形成部
２２        搬入搬送ユニット
２３        垂直搬送ユニットのストッパ
３０        大容量デッキ装置
３０ａ      大容量デッキの排出口
３１，３２  給紙デッキ
３６        垂直搬送カバー
３７〜３９  搬送ガイド
３９ａ      軸
４０        サイド給紙装置
４１        給紙デッキ
Ｐ          垂路直搬送路
Ｐ１〜Ｐ３  搬送路
Ｓ          用紙
【図１】
2014144841.tif 000003
【図２】
2014144841.tif 000004
【図３】
2014144841.tif 000005
【図４】
2014144841.tif 000006